(57)【要約】【課題】本発明は、既に確立された通話を遮断することなく容易に通話への割り込みを可能にするＩＰ交換機と、ＩＰ端末の提供を目的とする。【解決手段】本発明のＩＰ交換機は、複数のＩＰ端末間の通話を制御するＩＰ交換機であって、各前記ＩＰ端末の送信パケットを取得し、その送出伝送路を決定するパケット交換部と、前記パケット交換部から前記送信パケットを取得し、同一通話にかかる前記送信パケットをＮ−１加算して各前記ＩＰ端末に送信する通話パケットを生成する会議通話生成部と、を備え、２者通話の際に、前記会議通話生成部が生成した前記通話パケットを通話対象の前記ＩＰ端末に送信する。【選択図】図１
2014230050.tif 000002
【特許請求の範囲】
【請求項１】
複数のＩＰ端末間の通話を制御するＩＰ交換機であって、
各前記ＩＰ端末の送信パケットを取得するパケット交換部と、
前記パケット交換部から前記送信パケットを取得し、同一通話にかかる前記送信パケットをＮ−１加算して各前記ＩＰ端末に送信する通話パケットを生成する会議通話生成部と、を備え、
２者通話の際に、前記会議通話生成部が生成した前記通話パケットを通話対象の前記ＩＰ端末に送信する、
ＩＰ交換機。
【請求項２】
前記ＩＰ端末をグループごとに記憶するＩＰ端末グループ記憶部をさらに備え、
通話中の前記ＩＰ端末が属するグループの非通話中の前記ＩＰ端末に対し、会議通話参加が可能な旨を通知する、
請求項１に記載のＩＰ交換機。
【請求項３】
請求項２に記載のＩＰ交換機により通話を制御されるＩＰ端末であって、
前記ＩＰ交換機から会議通話参加が可能な旨の通知を受けると、表示部に当該通知内容を表示する、
ＩＰ端末。
【発明の詳細な説明】
【技術分野】
【０００１】
この発明は、音声をＩＰパケットデータとして交換処理するＩＰ交換機における音声通話の生成に関する。
【背景技術】
【０００２】
従来のＩＰ交換機にて２者通話を開催する場合、ＩＰ交換機と当該２台のＩＰ端末間で２者通話用の呼制御信号を送受することによりＩＰ端末間の２者通話呼を確立し、音声パケットデータの送受信を実現している。
【０００３】
また、３者以上の会議通話を開催する場合には、ＩＰ交換機と会議通話に参加するＩＰ端末間で会議通話用の呼制御信号を送受することにより、３台以上のＩＰ端末間で会議通話呼を確立し、当該ＩＰ端末の音声パケットデータを会議通話用回路で加算して会議通話を実現している。
【先行技術文献】
【特許文献】
【０００４】
【特許文献１】特開２００７−５３５２７号公報
【発明の概要】
【発明が解決しようとする課題】
【０００５】
従来のＩＰ交換機は、会議通話用の呼制御信号および会議通話用回路を使用することなしに２者通話用の呼を確立していたため、既に２者通話が形成された状態に第３者が割り込む場合、一旦、当該２者通話呼を切断した後に、改めて会議通話用の呼制御信号と会議通話用回路を用いて、当該第３者をメンバとする会議通話呼を確立する必要があった。
【０００６】
このため、最初に通話中であった２者は、会議通話が開催されるまでの間、通話を遮られるという問題があった。
【０００７】
本発明は上述の問題点に鑑み、既に確立された通話を遮断することなく容易に通話への割り込みを可能にするＩＰ交換機と、ＩＰ端末の提供を目的とする。
【課題を解決するための手段】
【０００８】
本発明のＩＰ交換機は、複数のＩＰ端末間の通話を制御するＩＰ交換機であって、各ＩＰ端末の送信パケットを取得するパケット交換部と、パケット交換部から送信パケットを取得し、同一通話にかかる送信パケットをＮ−１加算して各ＩＰ端末に送信する通話パケットを生成する会議通話生成部と、を備え、２者通話の際に、会議通話生成部が生成した通話パケットを通話対象のＩＰ端末に送信する。
【発明の効果】
【０００９】
本発明のＩＰ交換機は、複数のＩＰ端末間の通話を制御するＩＰ交換機であって、各ＩＰ端末の送信パケットを取得するパケット交換部と、パケット交換部から送信パケットを取得し、同一通話にかかる送信パケットをＮ−１加算して各ＩＰ端末に送信する通話パケットを生成する会議通話生成部と、を備え、２者通話の際に、会議通話生成部が生成した通話パケットを通話対象のＩＰ端末に送信する。
【００１０】
したがって、２者通話時に話者が通話を切断する操作をすることなく、通話への割り込みが可能になる。また、割り込む際の処理時間を短縮することができる。
【図面の簡単な説明】
【００１１】
【図１】２者通話時の実施の形態１のＩＰ交換機を示す構成図である。
【図２】３者通話時の実施の形態１のＩＰ交換機を示す構成図である。
【図３】２者通話時の実施の形態２のＩＰ交換機を示す構成図である。
【図４】ＩＰ端末の操作部を示す図である。
【発明を実施するための形態】
【００１２】
＜Ａ．実施の形態１＞
＜Ａ−１．構成＞
図１は、実施の形態１のＩＰ交換機１００を示す構成図であり、ＩＰ端末Ａ１１とＩＰ端末Ｂ２１の間の２者通話に関わる構成を示している。
【００１３】
ＩＰ交換機１００は、端末インタフェース（Ｉ／Ｆ）部Ａ１２、端末インタフェース（Ｉ／Ｆ）部Ｂ２２、呼制御信号処理部１、会議通話生成部２、及び音声パケット交換部３を備えている。端末Ｉ／Ｆ部Ａ１２は、ＩＰ端末Ａ１１と接続し、ＩＰ端末Ａ１１に対して音声データ及び呼制御信号の受渡しを行う。端末Ｉ／Ｆ部Ｂ２２は、ＩＰ端末Ｂ２１と接続し、ＩＰ端末Ｂ２１に対して音声データ及び呼制御信号の受渡しを行う。呼制御信号処理部１は、音声パケット交換部３、会議通話生成部２、端末Ｉ／Ｆ部Ａ１１，Ｂ２２と接続され、各部との間で呼制御信号を送受する。また、音声パケット交換部３も会議通話生成部２、端末Ｉ／Ｆ部Ａ１２，Ｂ２２と接続され、各部との間で音声データを送受する。
【００１４】
＜Ａ−２．動作＞
ＩＰ端末Ａ１１からＩＰ端末Ｂ２１に対して発信し、２者通話が行われる場合の動作を以下に説明する。ユーザがＩＰ端末Ａ１１から、オフフック（又は同等のキー操作）とＩＰ端末Ｂの個別番号を入力すると、ＩＰ端末Ａから端末Ｉ／Ｆ部Ａ１２を介して呼制御信号処理部１に発信信号が送信される。
【００１５】
呼制御信号処理部１は発信信号を解析した後、ＩＰ端末Ｂに着信させるべく、呼制御信号処理部１と音声パケット交換部３、会議通話生成部２、端末Ｉ／Ｆ部Ｂ２２との間で当該呼制御信号を送受信する。
【００１６】
その結果、ＩＰ端末Ａ１１の送話データが、端末Ｉ／Ｆ部Ａ１２、音声パケット交換部３を経て会議通話生成部２へ送信される。
【００１７】
一方、端末Ｉ／Ｆ部Ｂ２２からＩＰ端末Ｂ２１へ着信信号が送信され、ＩＰ端末Ｂ２１において着信音が鳴動する。
【００１８】
ここで、ＩＰ端末Ｂ２１のユーザが応答すると、ＩＰ端末Ｂからの応答信号が端末Ｉ／Ｆ部Ｂ２２を介して呼制御信号処理部１へ送信される。
【００１９】
呼制御信号処理部１は応答信号を解析した後、音声パケット交換部３、会議通話生成部２、端末Ｉ／Ｆ部Ｂ２２との間で当該呼制御信号を送受信する。
【００２０】
その結果、ＩＰ端末Ｂ２１の送話データが、ＩＰ端末Ｂ２１から端末Ｉ／Ｆ部Ｂ２２、音声パケット交換部３を経て会議通話生成部２へ送信される。
【００２１】
会議通話生成部２は、ＩＰ端末Ａ１１、Ｂ２２の送話データをＮ−１加算した会議通話データを生成する。なお、本明細書において「Ｎ−１加算」とは、全ての話者の音声（Ｎ）から、自分の音声を引き算することをいう。例えば、ＩＰ端末Ｂに送信する会議通話データは、ＩＰ端末Ａ１１，Ｂ２２の送話データの合成データからＩＰ端末Ｂ２２の送話データを引き算したものであり、ＩＰ端末Ａに送信する会議通話データは、ＩＰ端末Ａ１１，Ｂ２２の送話データの合成データからＩＰ端末Ａ１１の送話データを引き算したものである。これにより、ＩＰ端末Ａ１１，Ｂ２２では、自分の声以外の話者の合成音声を聞くことができる。
【００２２】
そして、音声パケット交換部３、端末Ｉ／Ｆ部Ａ１２，Ｂ２２を介して会議通話データがＩＰ端末Ａ１１，Ｂ２１に送信され、ＩＰ端末Ａ１１，Ｂ２１間で２者通話が形成される。
【００２３】
図２は、３者通話時のＩＰ交換機を示す構成図である。この図では、図１で示したＩＰ端末Ａ１１，Ｂ２１の他に、ＩＰ端末Ｃ３１を示しており、ＩＰ端末Ｃ３１はＩＰ交換機１００の端末Ｉ／Ｆ部Ｃ３２に接続される。
【００２４】
図１で説明した２者通話にＩＰ端末Ｃ３１が割り込む場合の動作を、図２に沿って説明する。まず、ユーザがＩＰ端末Ｃ３１から割り込みを示す特番とＩＰ端末Ａ１１，Ｂ２１の個別番号を入力すると、ＩＰ端末Ｃ３１から割り込み参加要求信号が端末Ｉ／Ｆ部Ｃ３２を介して呼制御信号処理部１へ送信される。
【００２５】
呼制御信号処理部１は、割り込み参加要求信号を解析した後、音声パケット交換部３、会議通話生成部２、端末Ｉ／Ｆ部Ｃ２２との間で当該呼制御信号を送受信する。その結果、ＩＰ端末Ｃ３１の送話データは、ＩＰ端末Ｃ３１から端末Ｉ／Ｆ部Ｃ３２、音声パケット交換部３を経て会議通話生成部２へ送信される。
【００２６】
会議通話生成部２は、ＩＰ端末Ａ１１，Ｂ２１，Ｃ３１の送話データをＮ−１加算して会議通話データを生成する。会議通話データは、音声パケット交換部３、端末Ｉ／Ｆ部Ａ１２，Ｂ２２，Ｃ３２を介してＩＰ端末Ａ１１，Ｂ２１，Ｃ３１に送信され、こうしてＩＰ端末Ａ１１，Ｂ２１，Ｃ３１の３者会議通話が形成される。なお、さらに別のＩＰ端末が割り込んで４者以上の会議通話を形成する場合も、上記と同様の動作を行う。
【００２７】
＜Ａ−３．効果＞
実施の形態１のＩＰ交換機は、各ＩＰ端末の送信パケットを取得する音声パケット交換部３（パケット交換部）と、音声パケット交換部３から送信パケットを取得し、同一通話にかかる送信パケットをＮ−１加算して各ＩＰ端末に送信する通話パケットを生成する会議通話生成部２と、を備え、２者通話の際には、会議通話生成部２が生成した通話パケットを通話対象のＩＰ端末Ａ１１，Ｂ２１に送信する。従って、会議通話生成部２で通話パケットを生成する際に、新たなユーザからの送信パケットをＮ−１加算の対象に加えるだけで、新たなユーザの割り込みが可能となる。通話中のユーザが通話を切断する操作は不要である。
【００２８】
＜Ｂ．実施の形態２＞
＜Ｂ−１．構成、動作＞
図３は、実施の形態２のＩＰ交換機１０１を示す構成図である。ここでは、ＩＰ端末Ａ１１，Ｂ２１，Ｃ３１の間の会議通話に関わる構成を示しており、図１に示す実施の形態１のＩＰ交換機１００と同一又は対応する構成には同一の参照符号を付している。
【００２９】
ＩＰ交換機１０１は、実施の形態１のＩＰ交換機１００の構成に、端末グループ記憶部４を追加したものである。これ以外の構成はＩＰ交換機１００と同様であり、以下、ＩＰ交換機１００と異なる点を中心に説明する。
【００３０】
端末グループ記憶部４には、会議通話を行うと想定されるグループメンバの情報（グループ番号とメンバ個別番号）が予め登録されている。２台のＩＰ端末Ａ１１，Ｂ２１間で２者通話を形成する際、呼制御信号処理部１は、着信側ＩＰ端末Ｂ２１から応答信号を受信すると、端末グループ記憶部４に登録されているデータを参照する。そして、同じ会議通話グループのなかで前記２者通話の話者以外のＩＰ端末に対してＩＰ端末Ｂ２１の応答信号を送信する。
【００３１】
図４は、ＩＰ端末Ｃ３１の操作部を示している。図４に示すように、ＩＰ端末Ｃ３１は、操作部として、受話器３１１と、画面表示部３１２と、キー操作部３１３と、会議通話参加専用キー３１４を備えている。
【００３２】
端末グループ記憶部４において、ＩＰ端末Ａ１１，Ｂ２１，Ｃ３１が同じグループ（グループ番号１）に登録されているものとする。ＩＰ端末Ａ１１，Ｂ２１が２者通話の状態になると、ＩＰ端末Ｃ３１は着信側のＩＰ端末からの応答信号を受信する。そして、ＩＰ端末Ｃ３１の画面表示部３１２には、グループ番号１のグループの会議通話に参加可能な旨が表示される。言いかえれば、ＩＰ交換機１０１は、通話中のＩＰ端末Ａ１１，Ｂ２１が属するグループの非通話中のＩＰ端末Ｃ３１に対し、会議通話参加が可能な旨を通知する。ＩＰ端末Ｃ３１のユーザは、キー操作部３１３のキー押下又は会議通話参加専用キー３１４の押下を行って会議通話に参加する旨の指示を入力する。当該指示が入力されると、ＩＰ端末Ｃ３１の送話データは、ＩＰ端末Ｃ３１から端末Ｉ／Ｆ部Ｃ３２、音声パケット交換部３を経て会議通話生成部２に送信される。会議通話生成部２では、ＩＰ端末Ａ１１，Ｂ２１の送話データとＩＰ端末Ｃ３１の送話データをＮ−１加算処理して会議通話データを生成する。会議通話データは、会議通話生成部２から音声パケット交換部３、各端末Ｉ／Ｆ分Ａ１２，Ｂ２１，Ｃ３１を経てＩＰ端末Ａ１１，Ｂ２１，Ｃ３１に送信され、ＩＰ端末Ａ１１，Ｂ２１，Ｃ３１の３者会議通話が形成される。
【００３３】
＜Ｂ−２．効果＞
実施の形態２のＩＰ交換機１０１は、実施の形態１のＩＰ交換機１００の構成に加えて、ＩＰ端末Ａ１１，Ｂ２１，Ｃ３１をグループごとに記憶するＩＰ端末グループ記憶部４をさらに備え、通話中のＩＰ端末Ａ１１，Ｂ２１が属するグループの非通話中のＩＰ端末Ｃ３１に対し、会議通話参加が可能な旨を通知する。
【００３４】
また、実施の形態２のＩＰ交換機１０１により通話を制御されるＩＰ端末Ｃ３１は、ＩＰ交換機１０１から会議通話参加が可能な旨の通知を受けると、画面表示部３１２に当該通知内容を表示する。よって、ユーザは、同一グループの他のＩＰ端末間で会議通話が開始されたことを知ることができ、適宜当該会議通話に参加することができる。
【００３５】
なお、本発明は、その発明の範囲内において、各実施の形態を自由に組み合わせたり、各実施の形態を適宜、変形、省略することが可能である。
【符号の説明】
【００３６】
１  呼制御信号処理部、２  会議通話生成部、３  音声パケット交換部、４  端末グループ記憶部、１１  ＩＰ端末Ａ、１２  端末Ｉ／Ｆ部Ａ、２１  ＩＰ端末Ｂ、２２  端末Ｉ／Ｆ部Ｂ、１００，１０１  ＩＰ交換機。
【図１】
2014230050.tif 000003
【図２】
2014230050.tif 000004
【図３】
2014230050.tif 000005
【図４】
2014230050.tif 000006